(57)【特許請求の範囲】
【請求項１】
所定方向に沿って所定ピッチで配置された複数の第１電極部を有する第１電子デバイスと、前記所定方向に沿って前記所定ピッチで配置された複数の第２電極部を有する第２電子デバイスとを電気的に接続する中継部材を用いた接続方法であって、
前記中継部材は、
前記所定方向に沿って前記所定ピッチの略１／ｎ（ｎは２以上の整数）のピッチで配置される複数の出力電極部と、
前記複数の出力電極部とそれぞれ連結された複数の入力電極部とを有し、
前記複数の出力電極部は、第１から第ｎ（ｎは２以上の整数）までのｎ個のグループに分類されるとともに、前記所定方向に沿って前記第１から前記第ｎの順序を繰り返すように周期的に配置されており、
前記複数の入力電極部は、前記所定方向に直交する方向における位置が、当該入力電極部に連結される前記出力電極部の属するグループごとに異なり、かつ、グループごとの前記入力電極部の前記所定方向に沿ったピッチが、前記所定ピッチになるように配置されており、
前記第２電子デバイスに配置される前記複数の第２電極部と、前記中継部材に配置される前記複数の出力電極部とを接続する工程Ａと、
前記工程Ａによって、前記第２電子デバイスに配置される前記複数の第２電極部に対してどのグループの前記出力電極部が接触したかを検出する工程Ｂと、
前記工程Ｂで検出されたグループに対応する前記入力電極部と、前記第１電子デバイスに配置される前記複数の第１電極部とを接続する工程Ｃとを有する
ことを特徴とする接続方法。
【請求項２】
複数の第１電極部を有する第１電子デバイスと、複数の第２電極部を有する第２電子デバイスと、前記第１電子デバイスと前記第２デバイスとを電気的に接続する中継部材とを有し、請求項１に記載の接続方法を用いて接続される装置。
【発明の詳細な説明】
【技術分野】
【０００１】
本発明は、ディスプレイ部のような第１電子デバイスと、駆動回路部のような第２電子デバイスとを有する装置において、第１電子デバイスと第２電子デバイスとを電気的に接続する接続方法及び当該接続方法を用いて接続される装置に関する。
【背景技術】
【０００２】
従来、液晶表示装置（ＬＣＤ）に変わる情報表示装置として、帯電粒子気体中移動方式（電子粉流体（登録商標）方式）、帯電粒子液体中移動方式（電気泳動方式）、エレクトロクロミック方式、サーマル方式、２色粒子回転方式などの技術を用いた情報表示装置が提案されている（例えば、特許文献１参照）。これらの情報表示装置のなかでも帯電粒子気体中移動方式や帯電粒子液体中移動方式や２色粒子回転方式を用いた情報表示装置では、給電を断ってもディスプレイ部の表示領域に表示させた情報が保持される表示メモリー性を有しているため、電子ペーパなどへの適用が期待されている。
【先行技術文献】
【特許文献】
【０００３】
【特許文献１】特開２００８−２６８６５０号公報
【発明の概要】
【発明が解決しようとする課題】
【０００４】
ここで、一般に、ディスプレイ部は、駆動回路部に実装されて製品化される。ところが、この実装工程では、ディスプレイ部の表示領域を構成する画素電極から引き出された引き出し電極をそれぞれ駆動回路部側の電極に接続するため、ディスプレイ部側の接続用電極と駆動回路部側の電極との接続箇所が増大する。これらの接続箇所の全てにおいて、電気的に確実に接続することが求められる。例えば、Ａ４サイズ（２１０ｍｍ×２９７ｍｍ）の表示領域にＸＧＡモノクロ規格の解像度（１０２４×７６８＝７８６４３２ピクセル）で表示できる情報表示システムでは、引き出し電極を短辺側に纏めて配置する場合、接続する箇所は、１０２４＋７６８＝１７９２箇所になり、電極中心の間隔は、２１０ｍｍ／（１０２４＋７６８）本＝１１７μｍになる。
【０００５】
ディスプレイ部の基板に配置された電極中心の間隔は、上述のように微細である上に、接続するピン（接続用電極）の数が多くなり、接続する際のアライメント（位置合わせ）をガイドピンや外形突き当てなどの通常の方法で行うことが困難である。よって、ディスプレイ部と駆動回路部とを接続する際には、顕微鏡で拡大しながら、全ての電極同士を接続する必要があり、電極同士の位置合わせに時間がかかり、作業効率が極めて低いという問題があった。さらに、ディスプレイ基板および駆動回路部がともに不透明であった場合、それらの電極を重ね合わせた時点で、ディスプレイ基板および駆動回路部により電極が隠されてしまい、光学的にアライメントをすること自体が非常に困難になるという問題があった。なお、このような問題は、ディスプレイ部に限らず、微細に配置された電極を備える様々な電子デバイスに共通する問題でもある。  そこで、本発明は、ディスプレイ部のように、電気的に接続するピン数（接続用電極数）が多く、しかもそのピンの配置間隔が狭い電子デバイスを、駆動回路部のような他の電子デバイスに実装する際に、簡便に行うことが可能な接続方法及び当該接続方法を用いて接続される装置を提供することを目的とする。
【課題を解決するための手段】
【０００６】
第１の特徴に係る中継部材（中継部材２００）は、複数の第１電極部（駆動側電極部３３０）を有する第１電子デバイス（駆動回路部３００）が複数の第２電極部（ディスプレイ側電極部１３０）を有する第２電子デバイス（ディスプレイ部１００）を制御する装置において、前記第１電子デバイスと前記第２電子デバイスとを電気的に接続する。中継部材は、前記第１電極部の各々と電気的に接続される複数の入力電極部（入力電極部２１１，２１２）と、前記複数の入力電極部に連結されるとともに、所定方向に沿って所定ピッチで周期的に配置される前記複数の第２電極部の各々と電気的に接続される複数の出力電極部（出力電極部２３１，２３２）とを有し、前記複数の出力電極部は、ｎ個のグループに分類されており、前記複数の出力電極部は、所定方向に沿って前記所定ピッチの略１／ｎのピッチで周期的に配置されており、一のグループに属する出力電極部は、他のグループに属する出力電極部と隣接するように周期的に配置されるとともに、グループごとに異なるように設定された接続位置のうちのいずれか一つに配置された入力電極部に連結されていることを要旨とする。
【０００７】
上述した中継部材は、第１電子デバイスの第１電極部の各々に接続される複数の入力電極部と、複数の入力電極部に連結するとともに、第２電子デバイスの複数の第２電極部の各々と電気的に接続される複数の出力電極部とを有する。
【０００８】
複数の出力電極部は、ｎ個のグループに分類されている。また、複数の出力電極部は、複数の第２電極部が配置される所定方向に沿って、所定ピッチの略１／ｎのピッチで周期的に配置される。また、一のグループに属する出力電極部は、他のグループに属する出力電極部と隣接するように周期的に配置されている。つまり、出力電極部のピッチは、第２電子デバイスに配置される第２電極部の所定ピッチよりも狭く、かつ、第２電極部の１ピッチあたりに、出力電極部がｎ個配置される。
【０００９】
このような中継部材によれば、第１電子デバイスと第２電子デバイスとを中継部材を介して電気的に接続する際に、第２電極部の位置と出力電極部との位置とがずれても、第２電極部は、ｎ個のグループのいずれかの出力電極部に接触する。よって、第２電極部と接触したグループを何らかの手段により検出し、そのグループの出力電極に連結された入力電極が配置された接続位置で第１デバイスの第１電極部と接続すれば、第１電子デバイスからの制御信号を第２電子デバイスの第２電極部に入力させることができる。なお、第２電極と接触したグループを検出する手段としては、例えば、図６に示す方法が考えられる。
【００１０】
第１の特徴に係る中継部材を用いた接続方法は、前記第２電子デバイスに配置される前記複数の第２電極部の各々と、前記中継部材に配置される前記複数の出力電極部とを接続する工程Ａ（ステップＳ１）と、前記第２電子デバイスに配置される前記複数の第２電極部に対して前記中継部材に配置される前記複数の出力電極部のどのグループが接触したかを検出する工程Ｂ（ステップＳ２）と、工程Ｂで検出されたグループに従って決定される接続位置に配置された入力電極部と、前記第１電子デバイスに配置される前記複数の第１電極部の各々とを接続する工程Ｃ（ステップＳ３）とを有することを要旨とする。
【発明の効果】
【００１１】
本発明によれば、ディスプレイ部のように、電気的に接続するピン数（接続用電極数）が多く、しかもそのピンの配置間隔が狭い電子デバイスを、駆動回路部のような他の電子デバイスに実装する際に、簡便に行うことが可能な接続方法及び当該接続方法を用いて接続される装置を提供できる。
【図面の簡単な説明】
【００１２】
【図１】図１は、本発明の第１実施形態に係る情報表示装置の構成を説明する構成図である。
【図２】図２は、本発明の第１実施形態に係る情報表示装置を構成するディスプレイ部のディスプレイ側電極部および中継部材の出力電極部を拡大した拡大図である。
【図３】図３（ａ）〜（ｃ）は、本発明の第１実施形態に係る情報表示装置を構成するディスプレイ部のディスプレイ側電極部と中継部材の出力電極部との接続態様を説明する模式図である。
【図４】図４は、情報表示装置において、検出用電極を構成するディスプレイ部のディスプレイ側電極部および中継部材の出力電極部を拡大した拡大図である。
【図５】図５は、本発明の第１実施形態に係る情報表示装置を構成するディスプレイ部と駆動回路部とを中継部材を用いて接続する接続方法を説明する図である。
【図６】図６は、本発明の第１実施形態に係る情報表示装置において、ディスプレイ部に接続される出力電極部の属するグループを検出する検出方法を説明する図である。
【図７】図７は、本発明の実施形態の変形例に係る情報表示装置を構成するディスプレイ部のディスプレイ側電極部および中継部材の出力電極部を拡大した拡大図である。
【図８】図８（ａ）は、本発明の他の実施形態において、ディスプレイ側電極部を配置した基板および出力電極部を配置した基板を説明する図である。図９（ｂ）は、本発明の他の実施形態において、ディスプレイ側電極部を配置した基板および出力電極部を配置した基板を説明する図である。
【発明を実施するための形態】
【００１３】
本発明に係る情報表示装置の実施形態について、図面を参照しながら説明する。具体的には、（１）第１実施形態、（２）変形例、（３）その他の実施形態について説明する。
【００１４】
なお、以下の図面の記載において、同一部分には、同一の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれる。
【００１５】
（１）第１実施形態
ここでは、（１−１）情報表示装置の構成、（１−２）中継部材の出力電極部の構成、（１−３）ディスプレイ側電極部と出力電極部との接続態様の説明、（１−４）検出用電極の構成、（１−５）中継部材を用いた接続方法、（１−６）作用・効果について説明する。
【００１６】
（１−１）情報表示装置の構成
図１は、本発明の第１実施形態に係る情報表示装置１の構成を説明する構成図である。図１に示すように情報表示装置１は、所定の情報を表示するディスプレイ部１００と、中継部材２００と、ディスプレイ部１００を制御する駆動回路部３００とを備える。なお、本実施形態において、駆動回路部３００は、第１電子デバイスを構成し、ディスプレイ部１００は、第２電子デバイスを構成する。
【００１７】
ディスプレイ部１００は、所定の情報が表示される表示領域１１０と、表示領域１１０に配置された画素電極（不図示）から引き出された配線１２０と、配線の端部に連結されたディスプレイ側電極部１３０とを有する。
【００１８】
図１に示す情報表示装置１では、ディスプレイ部１００は、少なくとも一方が透明な２枚の電極付き基板間の気体中空間（真空中を含む）に、光学的反射率を有する帯電性粒子を含む粒子群として構成した表示媒体を少なくとも１種類以上配置、好ましくは封入し、表示媒体に電界を付与することによって、表示媒体を移動させて画像などの情報を表示する気体中粒子移動方式ディスプレイパネルである。後述するが、表示媒体および駆動方式は上記に限定されない。
【００１９】
ディスプレイ部１００の表示領域１１０には、画素電極を形成する互いに直交する行方向のライン電極（不図示）と、列方向のライン電極（不図示）とが設けられており、表示領域１１０の端部まで引き出されて配線１２０に接続されている。
【００２０】
配線１２０は、表示領域１１０に配置された画素電極（不図示）に連結されており、ディスプレイ側電極部１３０は、配線１２０の端部に連結されている。すなわち、ディスプレイ側電極部１３０は、表示領域１１０に配置された画素電極（不図示）に連結されている。ディスプレイ側電極部１３０は、所定の領域に集められて配置されている。
【００２１】
中継部材２００は、ディスプレイ部１００と駆動回路部３００とを電気的に接続する。具体的に、中継部材２００は、駆動回路部３００に接続される複数の入力電極部２１０と、複数の入力電極部２１０に連結されるとともに、ディスプレイ部１００に接続される複数の出力電極部２３０とを有する。
【００２２】
複数の入力電極部２１０は、駆動回路部３００に設けられる複数の駆動側電極部３３０の各々に電気的に接続される。複数の入力電極部２１０は、駆動側電極部３３０から入力した制御信号を複数の出力電極部２３０に出力する。複数の出力電極部２３０は、所定方向に沿って所定ピッチで周期的に配置されるディスプレイ部１００のディスプレイ側電極部１３０の各々と電気的に接続される。複数の出力電極部２３０は、制御信号を複数のディスプレイ側電極部１３０に出力する。
【００２３】
複数の出力電極部２３０は、複数のグループに分けられている。複数の出力電極部２３０には、第１グループに属する第１出力電極部２３１と、第２グループに属する第２出力電極部２３２とが含まれる。
【００２４】
また、図１に示すように、中継部材２００には、異なるグループに属する出力電極部２３０が基板面に順に配置されている。なお、出力電極部２３０の詳細な構成については後述する。また、配線２２０は、出力電極部２３０に含まれる。
【００２５】
図１に示す情報表示装置１において、入力電極部２１０と駆動側電極部３３０とは、駆動回路部３００と中継部材２００とを電気的及び機械的に接続する接続部ＣＮ１を構成する。また、出力電極部２３０とディスプレイ側電極部１３０とは、ディスプレイ部１００と中継部材２００とを電気的及び機械的に接続する接続部ＣＮ２を構成する。
【００２６】
駆動回路部３００は、中継部材２００の複数の入力電極部２１０の各々と電気的に接続される複数の駆動側電極部３３０と、ディスプレイ部１００の表示領域１１０に所定の情報を表示させる制御信号を、中継部材２００を介して、ディスプレイ部１００に出力するコントローラ３４０とを備える。コントローラ３４０は、ＣＰＵ、ＲＯＭ、ＲＡＭ、タイミング信号発生回路などを備える。ＣＰＵは、ＲＯＭに格納された制御プログラムに従って、後述するドライバＩＣ３１０などを制御する。
【００２７】
図１に示す駆動回路部３００は、ディスプレイ部１００を駆動する制御信号を出力するドライバＩＣ３１０を有する。ドライバＩＣ３１０は、記憶部３５０から読み出したデータに基づいて、中継部材２００を介して、ディスプレイ側電極部１３０に所定の電圧を印加するか、または、ハイインピーダンスの状態にする。図１に示す駆動回路部３００では、ディスプレイ部１００を制御する制御信号は、コントローラ３４０から直接送信されず、ドライバＩＣ３１０から送信される。
【００２８】
また、駆動回路部３００は、ディスプレイ部１００に表示する所定の情報などのデータが格納された記憶部３５０と、コントローラ３４０の電源回路３６０とを有する。記憶部３５０は、半導体メモリー、ハードディスク等により構成されている。記憶部３５０は、書き換え可能なＵＳＢメモリー等の記録媒体であってもよい。電源回路３６０は、情報の表示或いは消去に応じた所定の電圧を発生させる。
【００２９】
図１に示す実施形態では、駆動側電極部３３０は、配線３２０を介して、ドライバＩＣ３１０に接続されている。なお、配線３２０は、駆動側電極部３３０に含まれる。
【００３０】
中継部材２００の入力電極部２１０には、第１グループに属する第１入力電極部２１１と、第２グループに属する第２入力電極部２１２とが含まれる。
【００３１】
ここで、入力電極部２１０は、グループごとに異なるように設定された接続位置に配置されている。具体的に、図１に示すように、第１入力電極部２１１と第２入力電極部２１２とが、中継部材２００と駆動回路部３００とを接続する際の挿入方向（図１に示すＹ方向）に対して、互いに異なる位置に配置されている。図１の例では、第１入力電極部２１１が、接続位置Ａに配置されており、第２入力電極部２１２が、接続位置Ｂに配置されている。
【００３２】
また、複数の出力電極部２３０も、複数のグループに分類されており、複数の出力電極部２３０には、第１グループに属する第１出力電極部２３１と、第２グループに属する第２出力電極部２３２とが含まれる。図１に示す実施形態では、異なるグループに属する出力電極部２３０が基板面に順に配置されている。具体的に、第１グループに属する第１出力電極部２３１と、第２グループに属する第２出力電極部２３２とが交互に配置されている。つまり、一のグループに属する出力電極部２３０（例えば、第１出力電極部２３１）は、他のグループに属する出力電極部２３０（例えば、第２出力電極部２３２）と隣接するように周期的に配置されている。
【００３３】
また、図１に示すように、出力電極部２３０は、グループごとに異なるように設定された接続位置Ａ又はＢのうちのいずれか一つに配置された入力電極部２１１，２１２に連結されている。
【００３４】
ディスプレイ側電極部１３０、入力電極部２１０、出力電極部２３０、及び駆動側電極部３３０の材質としては、酸化インジウム錫（ＩＴＯ）、酸化インジウム亜鉛（ＩＺＯ）等の導電性金属酸化物を用いてもよい。或いは、これらの電極部の材質としては、銅、アルミニウム、ニッケル、クロムなどの金属を用いてもよく、金、銀、白金、パラジウムなどの貴金属を用いてもよく、これらの合金を用いてもよい。なお、曲げや擦過に対する強度に優れている材料を電極部材料として用いてもよい。このような材料は、例えば、上述した金属、貴金属又は合金である。このうち、安価な良導電性材料である銅を好ましく用いることができる。
【００３５】
図１に示す実施形態では、第１駆動側電極部３３１は、ドライバＩＣ３１０に電気的に接続される。ドライバＩＣ３１０は、第１グループに属する第１入力電極部２１１、又は、第２グループに属する第２出力電極部２３２にディスプレイ部１００を駆動する制御信号を出力する。
【００３６】
コントローラ３４０は、中継部材２００を介して、ディスプレイ側電極部１３０と駆動側電極部３３０とが電気的に接続された状態で、異なるタイミングで制御信号を出力する。
【００３７】
なお、第１実施形態では、複数の入力電極部２１０、複数の出力電極部２３０の各々が２つのグループに分類されるケースについて例示しているに過ぎない。複数の入力電極部２１０、複数の出力電極部２３０の各々は、ｎ個のグループに分類されてもよい（但し、ｎは整数）。
【００３８】
（１−２）中継部材の出力電極部の構成
図２は、情報表示装置１の中継部材２００における出力電極部２３０を拡大した拡大図である。第１出力電極部２３１と第２出力電極部２３２は、所属するグループが異なることを分かり易くするために符号により区別しているが、同じ構成を有する。
【００３９】
各出力電極部２３０は、入力電極部２１０に連結される配線２２０の端部に連結されており、配線２２０の端部に取り付けられた矩形状の電極パッド２３０Ａを有する。なお、ディスプレイ側電極部１３０は、配線１２０の端部に取り付けられた矩形状の電極パッド１３０Ａを有する。
【００４０】
ここで、ディスプレイ側電極部１３０（電極パッド１３０Ａ）のピッチは、“Ｐｄｐ”で表される。ピッチＰｄｐは、互いに隣接するディスプレイ側電極部１３０（電極パッド１３０Ａ）の中心の間隔である。電極パッド１３０Ａの幅は、“Ｗｄｐ”で表される。ディスプレイ側電極部１３０（電極パッド１３０Ａ）間のギャップは、“Ｗｄｇ”で表される。ギャップＷｄｇは、互いに隣接する電極パッド１３０Ａ間に設けられる間隙である。なお、“Ｐｄｐ”は、“Ｐｄｐ”＝“Ｗｄｐ”＋“Ｗｄｇ”の関係で表される。
【００４１】
また、出力電極部２３０（電極パッド２３０Ａ）のピッチは、“Ｐｐ”で表される。ピッチＰｐは、互いに隣接する出力電極部２３０（電極パッド２３０Ａ）の中心の間隔である。電極パッド２３０Ａの幅は、“Ｗｐ”で表される。出力電極部２３０（電極パッド２３０Ａ）間のギャップは、“Ｗｇ”で表される。ギャップＷｇは、互いに隣接する電極パッド２３０Ａ間に設けられる間隙である。なお、“Ｐｐ”は、“Ｐｐ”＝“Ｗｐ”＋“Ｗｇ”の関係で表される。
【００４２】
さらに、同一グループに属する出力電極部２３０（電極パッド２３０Ａ）のうち、互いに隣接する出力電極部２３０（電極パッド２３０Ａ）間のギャップは、“Ｗｎｇ”で表される。なお、図２に示すように、出力電極部２３０が２つのグループに分類される場合には、“Ｗｎｇ”は、“Ｗｐ”＋２×“Ｗｇ”で表される。
【００４３】
第１に、ピッチＰｄｐは、Ｐｐの略ｎ倍（ｎは、グループ数）である。言い換えると、Ｐｐは、ピッチＰｄｐの略１／ｎである。つまり、複数の出力電極部２３０は、所定方向に沿ってピッチＰｄｐの略１／ｎのピッチＰｐで周期的に配置されている。なお、“略”とは、ピッチ“Ｐｄｐ”及び電極パッド１３０Ａの数によって定まるずれ幅を含むことを意味する。
【００４４】
第２に、幅Ｗｐ及びギャップＷｇは、Ｗｐ＞Ｗｇの関係（以下、条件Ａ）を満たすことが好ましい。また、幅Ｗｄｐ及びギャップＷｇは、Ｗｄｐ＞Ｗｇの関係（以下、条件Ｂ）を満たすことが好ましい。これによって、ディスプレイ部１００と中継部材２００との位置関係がずれたとしても、ディスプレイ側電極部１３０（電極パッド１３０Ａ）は、いずれかのグループに属する出力電極部２３０（電極パッド２３０Ａ）に必ず接続される。
【００４５】
第３に、幅Ｗｄｐ及びギャップＷｎｇは、Ｗｄｐ＜Ｗｎｇの関係（以下、条件Ｃ）を満たすことが好ましい。これによって、ディスプレイ側電極部１３０（電極パッド１３０Ａ）は、同一グループに属する出力電極部２３０（電極パッド２３０Ａ）のうち、互いに隣接する出力電極部２３０（電極パッド２３０Ａ）に接続されることがない。
【００４６】
なお、条件Ａ〜条件Ｃが満たされなくても、ディスプレイ側電極部１３０（電極パッド１３０Ａ）がいずれかのグループに属する出力電極部２３０（電極パッド２３０Ａ）に接続されることもあることに留意すべきである。
【００４７】
（１−３）ディスプレイ側電極部と出力電極部との接続態様の説明
出力電極部２３０と、ディスプレイ側電極部１３０との接続状態について説明する。図３（ａ）〜（ｃ）は、情報表示装置１のディスプレイ部１００と中継部材２００との接続態様を説明する模式図である。
【００４８】
出力電極部２３０とディスプレイ側電極部１３０との接続状態は、図３（ａ）〜（ｃ）に示すケースで説明することができる。情報表示装置１では、出力電極部２３０とディスプレイ側電極部１３０のうち何れか一方が他方に重ね合わされて互いに電気的に接続されている。ここでは、説明のため、両者の接続状態が分かるようにディスプレイ部１００の基板を透視した状態で表している。すなわち、図３に示す状態は、紙面の垂直方向下側に中継部材２００が配置されており、中継部材２００に対して紙面の垂直方向上側にディスプレイ部１００が重ね合わされた状態である。
【００４９】
なお、図３（ａ）〜（ｃ）では、説明のため、ディスプレイ側電極部１３０及びディスプレイ側電極部１３０に連結される配線１２０を電極１１，１２と表し、出力電極部２３０の電極パッド２３０Ａと配線２２０とをグループＡに属する電極Ａ１，Ａ２と表し、グループＢに属する電極Ｂ１，Ｂ２と表す。
【００５０】
図３（ａ）は、出力電極部２３０とディスプレイ側電極部１３０とが正常に接続された場合を示した図である。すなわち、この場合のずれｄ０は、０≦ｄ０＜Ｗｇであり、電極１１，１２と電極Ａ１，Ｂ１とが合致している。図３（ｂ）は、図３に示すＤ方向にディスプレイ部１００と中継部材２００が距離ｄ１（Ｗｇ≦ｄ１＜Ｗｐ）ずれた状態で接続されたケースを表す。この場合、電極１１は、電極Ａ１と電極Ｂ１に接続される。同様に、電極１２は、電極Ａ２と電極Ｂ２に接続される。図３（ｃ）は、図３に示すＤ方向にディスプレイ部１００と中継部材２００とが距離ｄ２（Ｗｐ≦ｄ２＜（Ｐｐ＋Ｗｇ））ずれた状態で接続されたケースを表す。この場合、電極１１は、電極Ｂ１に接続される。同様に、電極１２は、電極Ｂ２に接続される。
【００５１】
出力電極部２３０は、上述の構成を備えるため、中継部材２００とディスプレイ部１００とを接続する際に、ディスプレイ側電極部１３０と出力電極部２３０とが厳密に重なって正常に接続されなくても、出力電極部２３０とディスプレイ側電極部１３０とが接続されて電気的に導通する。
【００５２】
なお、ディスプレイ部１００の配線１２０は、電極パッド１３０Ａに接しても、導通しないように、表面に絶縁材などを用いた絶縁処理が施されている。中継部材２００の配線２２０も、電極パッド２３０Ａに接しても導通しないように、表面に絶縁材などを用いた絶縁処理が施されている。さらに、駆動回路部３００の配線３２０も、中継部材２００の使用されなかった接続位置の入力電極部に接しても導通しないように、表面に絶縁材などを用いた絶縁処理が施されている。
【００５３】
（１−４）検出用電極の構成
ディスプレイ部１００及び中継部材２００には、ディスプレイ側電極部１３０に接続された出力電極部２３０のグループを検出する検出用の電極を有する。
【００５４】
図１に示すように、ディスプレイ部１００は、短絡されたショート配線５２１と、ショート配線５２１の端部に連結されたディスプレイ側電極部５３０とを有する。また、中継部材２００は、ディスプレイ側電極部５３０の各々と電気的に接続される複数の出力電極部４３０を備える。出力電極部４３０は、複数のグループに分けられている。複数の出力電極部４３０には、第１グループに属する第１出力電極部４３１（ＤＡ１，ＤＡ２）と、第２グループに属する第２出力電極部４３２（ＤＢ１，ＤＢ２）とが含まれる。
【００５５】
第１出力電極部４３１（ＤＡ１，ＤＡ２）は、配線４２０を介して、入力電極部２１０Ａ１，２１０Ａ２に接続され、第２出力電極部４３２（ＤＢ１，ＤＢ２）は、配線４２０を介して、入力電極部２１０Ｂ１，２１０Ｂ２に連結されている。
【００５６】
また、図４は、中継部材２００におけるグループ検出用の出力電極部４３０（電極パッド４３０Ａ）を拡大した拡大図である。図４に示すように、入力電極部２１０Ａ１，２１０Ａ２と、入力電極部２１０Ｂ１，２１０Ｂ２とは、別途設けられた検出装置７００の検出回路７７０に接続される。なお、入力電極部２１０Ａ１，２１０Ａ２と、入力電極部２１０Ｂ１，２１０Ｂ２とは、検出回路７７０に接続しやすいように、電極間隔を広げて配置してもよいし、電極パットの面積を他の電極パットに比べて、大きくするようにしてもよい。
【００５７】
ディスプレイ側電極部５３０のピッチ（間隔）は、ディスプレイ側電極部１３０のピッチ（間隔）と同じＰｄｐである。また、出力電極部４３０（第１出力電極部４３１、第２出力電極部４３２）は、矩形状の電極パッド４３０Ａを有し、電極パッド４３０Ａの幅Ｗｐと、隣接する電極パッド４３０Ａ間のギャップＷｇと、配線４２０のピッチ（間隔）Ｐｐとの間には、Ｐｐ＝Ｗｐ＋ＷｇかつＷｐ＞Ｗｇの関係が成り立つ。出力電極部４３０が図４に示す構成となっている場合には、出力電極部４３０に対応するディスプレイ側電極部５３０の間隔Ｐｄｐは、Ｐｄｐ＝２Ｐｐ（但し、Ｐｐ＝Ｗｐ＋Ｗｇ）である。
【００５８】
図４では、説明のため、ディスプレイ側電極部５３０に連結されるショート配線５２１を配線Ｓと表し、グループＡに属する第１出力電極部４３１を電極ＤＡ１、ＤＡ２、グループＢに属する第２出力電極部４３２を電極ＤＢ１，ＤＢ２と表す。検出回路７７０は、配線Ｓによりショートしている電極を検出することにより、グループＡ，Ｂどちらの出力電極部４３０がディスプレイ側電極部１３０に接続されているかを検出する。
【００５９】
（１−５）中継部材を用いた接続方法
図５は、中継部材２００を用いて、ディスプレイ部１００と駆動回路部３００とを電気的に接続する接続方法を説明する図である。なお、かかる接続方法は、ディスプレイ部１００と駆動回路部３００とを電気的に接続して、情報表示装置１を製造する製造工程に適用できる。
【００６０】
ステップＳ１において、ディスプレイ部１００に配置されるディスプレイ側電極部１３０と、中継部材２００に配置される複数の出力電極部２３０とを接続する。具体的に、ディスプレイ側電極部１３０と、複数の出力電極部２３０とを、図３（ａ）〜図３（ｂ）のいずれの接続状態となるように位置合わせを行う。
【００６１】
ここで、この位置合わせは、ディスプレイ側電極部１３０の位置を、いずれかのグループに属する複数の出力電極部２３０の位置に合わせればよいので、ガイドピンや外形突き当てなどの簡易な方法で行うことができる。また、ディスプレイ部の基板および駆動回路部がともに不透明であっても、電極位置を直接観察することなく実行することができる。なお、この位置合わせが行われた後、例えば、ＡＣＦなどの接続部材を用いて、ディスプレイ側電極部１３０と複数の出力電極部２３０とを電気的に接続する接続処理を行う。
【００６２】
ステップＳ２において、ディスプレイ部１００に配置される複数のディスプレイ側電極部１３０に対して、中継部材２００に配置される複数の出力電極部２３０のどのグループが接触したかを検出する。なお、検出方法の詳細については、後述する（図６参照）。
【００６３】
ステップＳ３において、ステップＳ２で検出されたグループに従って決定される接続位置に配置された入力電極部２１０と、駆動回路部３００に配置される複数の駆動側電極部３３０の各々とを接続する。具体的に、複数の駆動側電極部３３０の各々と、ステップＳ２で検出されたグループに対応する接続位置Ａ，Ｂに配置される複数の入力電極部２１０の各々と接続を行う。例えば、ＡＣＦ（Ａｎｉｓｏｔｒｏｐｉｃ Ｃｏｎｄａｃｔｉｖｅ Ｆｉｌｍ）などを用いて、複数の駆動側電極部３３０の各々と、中継部材２００に配置される複数の入力電極部２１０とを電気的に接続する接続処理を行う。
【００６４】
また、中継部材２００において、入力電極部２１０を配置する基板と、出力電極部２３０を配置する基板とは、透明な部材によって構成されていることが好ましい。このような構成にすれば、中継部材２００の出力電極部２３０とディスプレイ部１００のディスプレイ側電極部１３０との位置合わせをする際に、互いの電極位置が視認し易くなる。同様に、中継部材２００の入力電極部２１０と駆動回路部３００の駆動側電極部３３０とを接続する際も、互いの電極位置が視認し易くなり、ガイドピンや外形突き当て等がなくても接続ができる。
【００６５】
次に、図６を参照して、上述したステップＳ２の処理について説明する。具体的に、ディスプレイ部１００に対して、どのグループに属する出力電極部２３０が接触したかを検出する処理について説明する。
【００６６】
ステップＳ２０において、検出回路７７０は、電極ＤＡ１，ＤＡ２が導通しているか否かを検出する。導通している場合には、グループＡに属する出力電極部２３１がディスプレイ部１００に接続していることを検出する（ステップＳ２１）。
【００６７】
一方、ステップＳ２０において、電極ＤＡ１，ＤＡ２に導通していないことが検出された場合には、ステップＳ２２において、さらに、電極ＤＢ１，ＤＢ２に導通しているか検出する。導通している場合には、グループＢに属する出力電極部２３２がディスプレイ部１００に接続していることを検出する（ステップＳ２３）。
【００６８】
以上のように、検出装置７００によって、ディスプレイ側電極部１３０がどのグループに属する出力電極部２３０（第１出力電極部２３１又は第２出力電極部２３２）に接続されているか検出すれば、この後、駆動回路部７００の駆動側電極部３３０と、検出されたグループに属する出力電極部２３０に連結される入力電極部２１０（第１入力電極部２１１又は第２入力電極部２１１）とを接続する（ステップＳ３）ことができる。
【００６９】
（１−５）作用・効果
以上説明したように、情報表示装置１は、情報を表示するディスプレイ部１００と、ディスプレイ部１００を駆動する駆動回路部３００と、ディスプレイ部１００と駆動回路部３００とを電気的に接続する中継部材２００とを有する。ディスプレイ部１００は、表示領域１１０に配置された画素電極（表示用電極）に連結された複数のディスプレイ側電極部１３０を有し、複数のディスプレイ側電極部１３０の各々は、ピッチＰｄｐで周期的に配置されている。
【００７０】
中継部材２００は、駆動回路部３００の駆動側電極部３３０に接続される入力電極部２１０と、入力電極部２１０に連結されるとともに、ディスプレイ部１００のディスプレイ側電極部１３０と電気的に接続される複数の出力電極部２３０とを有する。
【００７１】
駆動回路部３００は、中継部材２００の入力電極部２１０の各々と電気的に接続される複数の駆動側電極部３３０と、中継部材２００を介して、表示領域１１０に情報を表示させる制御信号をディスプレイ部１００に出力するコントローラ３４０とを有する。
【００７２】
また、中継部材２００では、複数の出力電極部２３０が、ｎ個のグループに分類され、複数の出力電極部２３０に連結される複数の入力電極部２１０も、ｎ個のグループに分類される。また、複数の出力電極部２３０は、ピッチＰｄｐの略１／ｎのピッチＰｐで周期的に配置されている。一のグループに属する出力電極部２３０は、他のグループに属する出力電極部２３０と隣接するように周期的に配置されている。つまり、出力電極部２３０のピッチは、ディスプレイ側電極部１３０のピッチＰｄｐよりも狭く、かつ、ディスプレイ側電極部１３０の１ピッチあたりに、出力電極部２３０がｎ個配置される。
【００７３】
かかる中継部材２００によれば、ディスプレイ側電極部１３０と中継部材２００とを接続する際に、ディスプレイ部１００の位置と中継部材２００との位置とがずれても、言い換えれば、精密なアライメントを取らなくても、ディスプレイ側電極部１３０は、ｎ個のグループのいずれかの出力電極部２３０に接触する。すなわち、ディスプレイ部１００と、中継部材２００との電気的な接続を容易にできる。
【００７４】
また、入力電極部２１０は、グループごとに異なるように設定された接続位置Ａ，Ｂに配置されている。このような構成においてディスプレイ部１００のディスプレイ側電極部１３０と接触した出力電極部２３０が属するグループを、例えば、図４に示す検出装置７００等を用いて検出する。また、検出されたグループに属する出力電極部２３０に連結された入力電極部２１０が配置された接続位置Ａ，Ｂにおいて、駆動回路部３００の駆動側電極部３３０の位置を調整しながら、入力電極部２１０と駆動側電極部３３０とを接続する。
【００７５】
なお、中継部材２００において、出力電極部２３０を配置する基板を、透明な部材によって構成すれば、中継部材２００の入力電極部２１０の位置と駆動回路部３００の駆動側電極部３３０の位置とが視認し易くなるので、一層接続が容易に行える。
【００７６】
このように、かかる中継部材２００によれば、ディスプレイ部１００と駆動回路部３００との間を電気的に接続する際のアライメント（位置合わせ）を容易に可能になる。すなわち、かかる中継部材２００によれば、ディスプレイ部１００を駆動回路部３００に実装する際の作業を簡便に行うことが可能になる。
【００７７】
図１に示す実施形態に係る中継部材２００では、第１グループに属する第１出力電極部２３１と、第２グループに属する第２出力電極部２３２とが基板面に交互に配置されている。また、各出力電極部２３０（第１出力電極部２３１及び第２出力電極部２３２）は、電極パッド２３０Ａの幅Ｗｐと、隣接する電極パッド２３０Ａ間のギャップＷｇは、Ｗｐ＞Ｗｇを満たす。図１に示す構成では、ディスプレイ側電極部１３０の間隔Ｐｄｐは、Ｐｄｐ＝２Ｐｐである。
【００７８】
例えば、Ａ４サイズ（２１０×２９７ｍｍ）の表示領域にＸＧＡモノクロ規格の解像度（１０２４×７６８＝７８６４３２ピクセル）で表示できるように構成し、Ａ４サイズの短辺部分に縦横ライン電極から引き出されたディスプレイ側電極部１３０を配置する場合、２１０ｍｍの範囲に、（１０２４＋７６８＝１７９２）本のディスプレイ側電極部１３０が配置される。従って、接続する箇所は、１０２４＋７６８＝１７９２箇所になり、配線２２０の間隔Ｐｐは、数百μｍ〜百数十μｍになる。
【００７９】
情報表示装置１では、中継部材２００の入力電極部２１０と、出力電極部２３０とを、少なくとも２つのグループに分け、上記関係を満たすように構成することにより、例えば、出力電極部２３０とディスプレイ側電極部１３０との接続状態が図３（ａ）〜（ｃ）に示す何れかのケースになり、ディスプレイ側電極部１３０と出力電極部２３０とが厳密に重なって正常に接続されなくても、言い換えれば、精密なアライメントを取らなくても、接続できる。
【００８０】
実施形態では、図３に示したように、位置ずれがｄ０，ｄ１，ｄ２の範囲であれば、ディスプレイ部１００に正しく表示される。また、電極１１が電極Ａ２，Ｂ２に接触するような位置ずれが起きた場合には、電極１１から順に配列される電極のうち最後の電極Ｎに通電されないことになるが、表示領域１１０の全域に表示の不具合が発生することはない。
【００８１】
ディスプレイ側電極部１３０を余分に形成する（例えば、１ライン分多く形成する）ことにより、電極１１が電極Ａ２，Ｂ２に接触するような位置ずれが起きたとしても、最後の電極にも通電されるため、表示領域１１０に正しく表示させることができる。
【００８２】
また、ディスプレイ側電極部１３０と入力電極部２１０と出力電極部２３０と駆動側電極部３３０の材質としては、上述したように、酸化インジウム錫（ＩＴＯ）、酸化インジウム亜鉛（ＩＺＯ）等の導電性金属酸化物を用いてもよい。或いは、これらの電極部の材質としては、銅、アルミニウム、ニッケル、クロムなどの金属を用いてもよく、金、銀、白金、パラジウムなどの貴金属を用いてもよく、これらの合金を用いてもよい。抜き挿し方式の接続部ＣＮを構成する場合には、曲げや擦過に対する強度に優れている材料を電極部材料として用いることが好ましい。このような材料は、例えば、上述した金属、貴金属又は合金である。
【００８３】
導電性材料から電極パットとしての導電膜を形成する方法としては、次の方法が挙げられる。例えば、上述した導電性材料を基板面にスパッタリング法、真空蒸着法、ＣＶＤ法、塗布法などにより薄膜状に形成することができる。また、金属材料については、金属箔（例えば、圧延銅箔）を形成し、基板面にラミネートする方法を用いてもよい。更に、導電性材料を含む導電剤を溶媒や合成樹脂バインダーに混合し、基板面に塗布する方法などを用いることができる。導電性材料は、パターン形成が可能であるため、成形性もよく、好適に使用できる。
【００８４】
導電膜を金属材料で形成する場合には、上述した形成方法のなかでも、金属材料を圧延した薄膜が好ましい。圧延した薄膜は、蒸着により形成された薄膜やスパッタリングにより形成された薄膜に比べて、曲げや擦過に対する強度を高めることができる。導電膜を配置する基板と、導電膜との密着性を高めるために、アンカー材を設けてもよい。
【００８５】
電極パッドとしての導電膜の厚さは、導電性が確保できればよく、一例として、０．０１μｍ〜１０μｍが好ましく、０．０５μｍ〜５μｍがより好ましい。
【００８６】
（２）変形例
図７は、変形例に係る情報表示装置３の中継部材６００における出力電極部６３０（電極パッド６３０Ａ）を拡大した拡大図である。変形例として示す情報表示装置３では、ディスプレイ側電極部９３０（電極パッド９３０Ａ）のピッチ（間隔）Ｐｄｐの１／ｎと、出力電極部６３０のピッチ（間隔）Ｐｐとが異なっている。すなわち、Ｐｄｐ／ｎ≠Ｐｐである。
【００８７】
図７では、出力電極部６３０は、矩形状の電極パッド６３０Ａを有し、電極パッド６３０Ａの幅Ｗｐと、隣接する電極パッド６３０Ａ間のギャップＷｇとは、Ｗｐ＞Ｗｇの関係が成り立つ。更に、図７に示す構成では、ディスプレイ側電極部９３０のピッチ（間隔）Ｐｄｐは、Ｐｄｐ／ｎ＜Ｐｐ  （ｎ＝２）の関係にあるので、Ｐｄｐ＜２Ｐｐである。また、ディスプレイ側電極部９３０がピッチＰｄｐでｍ本配置された幅ＷＤｐ、同じグループに属する出力電極部６３０がｍ本ずつ配置されたとき、同じグループに属する出力電極部の最も離れた位置にある出力電極部間の距離ＷＤｒとするとき、ＷＤｐ−ＷＤｒ＜Ｐｐ＋ｗｇである。
【００８８】
この場合、ディスプレイ側電極部９３０と出力電極部６３０との接続状態は、図３（ａ）〜（ｃ）の全てが繰り返し含まれるパターンになるため、ディスプレイ部１００に所定の情報を表示することができる。
【００８９】
（３）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【００９０】
例えば、図８（ａ）に示すように、中継部材２００は、出力電極部２３０を配置した基板２８０の端部２８５ａが、基板２８０の表面からせり上がる段差状に形成されていることが好ましい。また、ディスプレイ側電極部１３０を配置した基板１４０の端部１４５ａと、出力電極部２３０を配置した基板２８０の端部２８５ａとが、挿抜方向（図８に示すＸ方向）に凹凸する形状に形成されていることが好ましい。このような構成によれば、ディスプレイ部１００と中継部材２００とを接続する際、ディスプレイ側電極部１３０を配置した基板１４０の端部１４５ａが、出力電極部２３０を配置した基板２８０の端部２８５ａに突き当てられることで、ディスプレイ側電極部１３０の位置と、出力電極部２３０の位置とを容易に合わせることができる。
【００９１】
基板１４０，２８０の端部１４５ａ，２８５ａの形状は、図８（ａ）に示す山部と谷部とに直線部分を有するジグザグ形状や、山部と谷部とに直線部分を有さない鋭角的なジグザグ形状などが例示される。また、図８（ｂ）に示すように、ディスプレイ側電極部１３０を配置する基板１４０の端部１４５ｂと、出力電極部２３０を配置する基板２８０の端部１４５ｂとが、曲線的な波型形状に形成されていてもよい。
【００９２】
なお、上述の例では、ディスプレイ側電極部１３０を配置した基板１４０の端部１４５ａと、出力電極部２３０を配置した基板２８０の端部２８５ａとが、挿抜方向に凹凸する形状に形成されている場合を例に挙げた。しかし、駆動側電極部３３０を配置する基板（不図示）と、入力電極部２１０を配置する基板（不図示）も同様に形成してもよいことは無論である。
【００９３】
実施形態では、ディスプレイ部１００（ディスプレイ部５００，９００も同様）は、気体中粒子移動方式ディスプレイパネルであると説明した。しかし、ディスプレイ部１００は、例えば、電気泳動方式（液体中粒子移動方式）ディスプレイパネル、コレステリック液晶方式ディスプレイパネル、エレクトロクロミック方式ディスプレイパネルとすることができる。また、給電を断った状態で表示された情報を所定期間保持できる表示メモリー性、いわゆるバイステイブル性を有するＭＥＭＳ方式ディスプレイパネル、銀の電解による析出を用いる方式のディスプレイパネル、溶解反応を利用したディスプレイパネルとすることができる。ディスプレイ部１００は、これら表示メモリー性を有するものが好ましいが、表示メモリー性の無い、従来の液晶ディスプレイ（ＬＣＤ）にも適用できる。
【００９４】
実施形態では、情報表示装置１は、記憶部３５０を備えると説明した。この他に、例えば、無線通信及び／又は有線通信を可能とする通信デバイスを備え、ディスプレイ部１００の表示領域１１０に表示する情報に関するデータを、ネットワークを介して取得することもできる。
【００９５】
実施形態では、中継部材２００の入力電極部２１０には、グループＡに属する第１入力電極部２１１とグループＢに属する第２入力電極部２１２とが含まれ、出力電極部２３０には、グループＡに属する第１出力電極部２３１（電極Ａ１，Ａ２）とグループＢに属する第２出力電極部２３２（電極Ｂ１，Ｂ２）とが含まれると説明した。しかし、２つのグループに限定されない。３つであってもよい。
【００９６】
また、実施形態では、出力電極部がピッチ（間隔）Ｐｐで配置されており、ディスプレイ側電極部がピッチ（間隔）Ｐｄｐで配置されており、Ｐｄｐ＝２Ｐｐである場合について説明した。しかし、ディスプレイ側電極部のピッチ（間隔）は、出力電極部の間隔の整数倍であればよく、２倍に限定されない。すなわち、例えば、Ｐｄｐ＝３Ｐｐ、Ｐｄｐ＝４Ｐｐという関係になるような配置になっていてもよい。
【００９７】
また、実施形態では、中継部材２００は、ディスプレイ部１００と駆動回路部３００とを電気的に接続するように構成されていた。しかし、本発明に係る中継部材は、ディスプレイ部のように、電気的に接続するピン数（電極数）が多く、しかもそのピン（電極）の配置間隔が狭い電子デバイスと、駆動回路部のような他の電子デバイスとを電気的に接続する様々なケースに適用可能である。
【００９８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９９】
Ａ１，Ａ２…電極、Ｂ１，Ｂ２…電極、１，３…情報表示装置、１１，１２…電極、１００…ディスプレイ部、１１０…表示領域、１２０…配線、１３０…ディスプレイ側電極部、１３０Ａ…電極パッド、１４０，２８０…基板、２００…中継部材、２１０…入力電極部、２１０Ａ１，２１０Ａ２…入力電極部、２１０Ｂ１，２１０Ｂ２…入力電極部、２１１…第１入力電極部、２１１…第２入力電極部、２１１，２１２…入力電極部、２１２…第２入力電極部、２２０…配線、２３０…出力電極部、２３０Ａ…電極パッド、２３１…第１出力電極部、２３２…第２出力電極部、３００…駆動回路部、３１０…ドライバＩＣ、３２０…配線、３３０…駆動側電極部、３３１…第１駆動側電極部、３４０…コントローラ、３５０…記憶部、３６０…電源回路、４２０…配線、４３０…出力電極部、４３０Ａ…電極パッド、４３１…第１出力電極部、４３２…第２出力電極部、５００，９００…ディスプレイ部、５２１…ショート配線、５３０…ディスプレイ側電極部、６００…中継部材、６３０…出力電極部、６３０Ａ…電極パッド、７００…検出装置、７００…駆動回路部、７７０…検出回路、９３０…ディスプレイ側電極部、９３０Ａ…電極パッド
【図１】
0005763498.tif 000002
【図２】
0005763498.tif 000003
【図３】
0005763498.tif 000004
【図４】
0005763498.tif 000005
【図５】
0005763498.tif 000006
【図６】
0005763498.tif 000007
【図７】
0005763498.tif 000008
【図８】
0005763498.tif 000009